(57)【要約】      （修正有）【課題】天板等を支持するスライドアームをラックに対して上下摺動可能に支持し且つ無段階で任意の高さ位置に固定保持する昇降装置を提供する。【解決手段】スライドアーム１２をラックに対して上下摺動可能に支持し且つ任意の高さ位置で固定保持するための昇降装置であって、ラックはスライドアーム１２側に突出した上下方向に長いフランジ部１１ｃを有し、スライドアーム１２はフランジ部１１ｃの一側に面し、スライドアーム１２に固定的に設けられた保持板２１と、フランジ部１１ｃの他側に面し、スライドアームに摺動可能に設けられたロック部材２３とを有し、スライドアーム１２が下方向に摺動した場合にはこれに伴ってロック部材２３が保持板２１に接近することにより保持板２１とロック部材２３とがフランジ部１１ｃを挟持して固定保持し、上方向に摺動した場合にはこれに伴ってロック部材２３が保持板２１から離間することにより挟持を解除する。【選択図】図７
2012161386.tif 000002
【特許請求の範囲】
【請求項１】
スライドアームをラックに対して上下摺動可能に支持し且つ任意の高さ位置で固定保持するための昇降装置であって、
前記ラックは、前記スライドアーム側に突出した上下方向に長いフランジ部を有し、
前記スライドアームは、前記フランジ部の一側に面し、前記スライドアームに固定的に設けられた保持部と、前記フランジ部の他側に面し、上下の一方向に移動するにつれて前記保持部に接近し、上下の他方向に移動するにつれて前記保持部から離間するように、前記スライドアームに摺動可能に設けられたロック部材とを有し、
前記スライドアームが前記他方向に摺動した場合にはこれに伴って前記ロック部材が前記保持部に接近することにより前記保持部と前記ロック部材とが前記フランジ部を挟持して固定保持し、前記一方向に摺動した場合にはこれに伴って前記ロック部材が前記保持部から離間することにより挟持を解除する、昇降装置。
【請求項２】
前記ロック部材は、前記フランジ部の前記他側に対向する摩擦面と、この摩擦面に対して上下方向に傾斜した滑動面とを有する楔形に形成されており、
前記スライドアームは、前記滑動面に対向して前記スライドアームに固定的に設けられたガイド面を有する、請求項１に記載の昇降装置。
【請求項３】
前記ロック部材と前記ガイド面との間に、摩擦軽減手段を備えた、請求項２に記載の昇降装置。
【請求項４】
前記ロック部材は、ガイド機構を介して前記スライドアームに接続されている、請求項１に記載の昇降装置。
【請求項５】
前記一方向とは上方向である、請求項１に記載の昇降装置。
【請求項６】
前記ロック部材は、弾性部材により前記一方向に向かって付勢されている、請求項１に記載の昇降装置。
【請求項７】
前記ロック部材を前記他方向に押動する解除手段を備えた、請求項１に記載の昇降装置。
【請求項８】
前記解除手段は、前記ロック部材を前記他方向に押圧するように前記スライドアームに揺動可能に取り付けられたリンクレバーである、請求項７に記載の昇降装置。
【請求項９】
前記ロック部材において前記リンクレバーに当接する面は、渦巻き曲線状の曲面形状を有する、請求項８に記載の昇降装置。
【請求項１０】
前記リンクレバーは、第二の弾性部材によって退避位置に向かって付勢されている、請求項９に記載の昇降装置。
【請求項１１】
前記解除手段は、前記ロック部材を前記他方向に押動するロッドである、請求項７に記載の昇降装置。
【請求項１２】
前記ロック部材は、前記摩擦面を有する摩擦部材と、前記滑動面を有する滑動部材とから構成され、前記摩擦部材と前記滑動部材とは互いに上下方向に摺動可能である、請求項２に記載の昇降装置。
【請求項１３】
前記摩擦部材と前記滑動部材とが、第三の弾性部材によって、互いに離反するように付勢されている、請求項１２に記載の昇降装置。
【請求項１４】
前記摩擦部材と前記滑動部材とが、第二のガイド機構を介して接続されている、請求項１３に記載の昇降装置。
【請求項１５】
前記摩擦部材と前記滑動部材との間に、摩擦軽減手段を備えた、請求項１４に記載の昇降装置。
【請求項１６】
前記スライドアームは、互いに上下反転して配置された二組のロック部材を有する、請求項１に記載の昇降装置。
【請求項１７】
スライドアームをラックに対して上下摺動可能に支持し且つ任意の高さ位置で固定保持するための昇降装置であって、
前記ラックは、前記スライドアーム側に突出し上下方向に長いフランジ部を有し、
前記スライドアームは、前記フランジ部の一側に面し、上下の一方向に移動するにつれて前記保持部に接近し、上下の他方向に移動するにつれて前記保持部から離間するように、前記スライドアームに摺動可能に設けられた第一のロック部材と、前記フランジ部の他側に面し、前記第一のロック部材に対して対称に設けられた第二のロック部材とを有し、
前記スライドアームが前記他方向に摺動した場合にはこれに伴って前記第一及び第二のロック部材が互いに接近することにより前記第一及び第二のロック部材が前記フランジ部を挟持して固定保持し、前記一方向に摺動した場合にはこれに伴って前記第一及び第二が互いに離間することにより挟持を解除する、昇降装置。
【発明の詳細な説明】
【技術分野】
【０００１】
本発明は、ワゴン，デスク等の天板を昇降可能に支持する昇降装置に関するものである。
【背景技術】
【０００２】
従来、ワゴン，デスク等の天板を昇降可能に支持する昇降装置としては、特許文献１及び特許文献２に開示された昇降装置及び昇降天板付ワゴンが知られている。
【０００３】
特許文献１には、昇降天板等の家具構成部材を支持する一対の昇降部材と、筐体等の家具本体に設けた一対の静止部材と、同期機構とを具備した昇降装置が開示されている。ここで、特許文献１の段落『００２８』〜『００３２』において、また特許文献２にも、昇降装置の具体的構成が開示されている。
即ち、昇降装置は、噛合機構が静止部材に設けられた複数の第一歯部を有する第一噛合部と、昇降部材に設けられ第一歯部に噛合可能な第二歯部を有する第二噛合部とを備えている。
このような構成の昇降装置によれば、昇降部材が静止部材に対して上下方向に移動し、第一噛合部の第一歯部が対向する第二噛合部の第二歯部と互いに噛合したとき、昇降部材の昇降移動が規制され、昇降部材が静止部材に対して所定の高さ位置で固定保持される。
【先行技術文献】
【特許文献】
【０００４】
【特許文献１】特開２００７−１３５６４３号公報
【特許文献２】特開２００７−１３５６４４号公報
【発明の概要】
【発明が解決しようとする課題】
【０００５】
しかしながら、このような構成の昇降装置においては、天板等の昇降部材の上下方向の高さ位置は、詳細には第一噛合部の第一歯部と第二の噛合部の第二歯部との噛合関係に依存するので、第一歯部及び第二歯部の上下方向のピッチに制限されてしまう。
従って、天板等の昇降部材は、このピッチ間隔でのみ高さ位置が調整可能であり、無段階での高さ調整を行なうことは不可能であった。
【０００６】
本発明は、以上の点に鑑み、簡単な構成により、天板等を支持するスライドアームをラックに対して上下摺動可能に支持し且つ無段階で任意の高さ位置に固定保持することができる昇降装置を提供することを目的としている。
【課題を解決するための手段】
【０００７】
上記目的は、本発明の第一の構成によれば、スライドアームをラックに対して上下摺動可能に支持し且つ任意の高さ位置で固定保持するための昇降装置であって、ラックはスライドアーム側に突出した上下方向に長いフランジ部を有し、スライドアームはフランジ部の一側に面し、スライドアームに固定的に設けられた保持部と、フランジ部の他側に面し、上下の一方向に移動するにつれて保持部に接近し、上下の他方向に移動するにつれて保持部から離間するように、スライドアームに摺動可能に設けられたロック部材とを有し、スライドアームが他方向に摺動した場合にはこれに伴ってロック部材が保持部に接近することにより保持部とロック部材とがフランジ部を挟持して固定保持し、一方向に摺動した場合にはこれに伴ってロック部材が保持部から離間することにより挟持を解除する、昇降装置により、達成される。
【０００８】
本発明による昇降装置は、好ましくは、ロック部材が、フランジ部の他側に対向する摩擦面と、この摩擦面に対して上下方向に傾斜した滑動面とを有する楔形に形成されており、スライドアームが、滑動面に対向してスライドアームに固定的に設けられたガイド面を有する。
【０００９】
本発明による昇降装置は、好ましくは、ロック部材とガイド面との間に、摩擦軽減手段を備えている。
【００１０】
本発明による昇降装置は、好ましくは、ロック部材が、ガイド機構を介してスライドアームに接続されている。
【００１１】
本発明による昇降装置は、好ましくは、一方向とは上方向である。
【００１２】
本発明による昇降装置は、好ましくは、ロック部材が、弾性部材により一方向に向かって付勢されている。
【００１３】
本発明による昇降装置は、好ましくは、ロック部材を他方向に押動する解除手段を備えている。
【００１４】
本発明による昇降装置は、好ましくは、解除手段が、ロック部材を他方向に押圧するようにスライドアームに揺動可能に取り付けられたリンクレバーである。
【００１５】
本発明による昇降装置は、好ましくは、ロック部材においてリンクレバーに当接する面が渦巻き曲線状の曲面形状を有する。
【００１６】
本発明による昇降装置は、好ましくは、リンクレバーが、第二の弾性部材によって退避位置に向かって付勢されている。
【００１７】
本発明による昇降装置は、好ましくは、解除手段が、ロック部材を他方向に押動するロッドである。
【００１８】
本発明による昇降装置は、好ましくは、ロック部材が、摩擦面を有する摩擦部材と、滑動面を有する滑動部材とから構成され、摩擦部材と滑動部材とが互いに上下方向に摺動可能である。
【００１９】
本発明による昇降装置は、好ましくは、摩擦部材と滑動部材とが、第三の弾性部材によって、互いに離反するように付勢されている。
【００２０】
本発明による昇降装置は、好ましくは、摩擦部材と滑動部材とが、第二のガイド機構を介して接続されている。
【００２１】
本発明による昇降装置は、好ましくは、摩擦部材と滑動部材との間に、摩擦軽減手段を備えている。
【００２２】
本発明による昇降装置は、好ましくは、スライドアームが、互いに上下反転して配置された二組のロック部材を有する。
【００２３】
上記目的は、本発明の第二の構成によれば、スライドアームをラックに対して上下摺動可能に支持し且つ任意の高さ位置で固定保持するための昇降装置であって、ラックはスライドアーム側に突出し上下方向に長いフランジ部を有し、スライドアームはフランジ部の一側に面し、上下の一方向に移動するにつれて保持部に接近し、上下の他方向に移動するにつれて保持部から離間するように、スライドアームに摺動可能に設けられた第一のロック部材と、フランジ部の他側に面し、第一のロック部材に対して対称に設けられた第二のロック部材とを有し、スライドアームが他方向に摺動した場合にはこれに伴って第一及び第二のロック部材が互いに接近することにより第一及び第二のロック部材がフランジ部を挟持して固定保持し、一方向に摺動した場合にはこれに伴って第一及び第二が互いに離間することにより挟持を解除する、昇降装置により達成される。
【発明の効果】
【００２４】
上記構成によれば、スライドアームを上下の一方向、例えば下方向に移動させると、ロック部材が保持部に接近することにより、保持部及びロック部材がラックのフランジ部を挟持する。これによって、スライドアームがラックに対して固定保持される。
これに対して、スライドアームを上下の他方向、例えば上方向に移動させると、ロック部材が保持部から離間することにより、保持部及びロック部材によるラックのフランジ部の挟持が解除される。従って、スライドアームがラックに対して解放されるので、スライドアームがラックに対して摺動可能となる。
ここで、スライドアームのラックに対する固定保持の高さ位置は、ラックのフランジ部に対する保持部及びロック部材の挟持位置で決まるので、無段階で調整可能である。従って、スライドアームに支持された天板等を所望の高さ位置に固定保持することができる。
【００２５】
このように、スライドアームをラックに対してスライドアームを上下の他方向、例えば上方向に褶動することで所望の高さ位置まで移動させた後、スライドアームを上下の一方向、例えば下方向に少し移動させることにより、前述したように、スライドアームがラックに対して所望の高さ位置で固定保持される。
従って、スライドアームを簡単な操作によって、任意の高さ位置で固定保持し得る。
【００２６】
さらに、上述の上下の一方向が下方向である場合には、スライドアーム及びスライドアームが支持する天板さらには天板上に載置された物体等の重量によって、スライドアームが下方に移動するので、スライドアームの固定保持がより容易かつ強固に行なわれ得る。
【００２７】
ロック部材が、フランジ部の他側に対向する摩擦面と、この摩擦面に対して上下方向に傾斜した滑動面とを有する楔形に形成されており、スライドアームが、滑動面に対向してスライドアームに固定的に設けられたガイド面を有する場合には、スライドアームが上下方向に移動したとき、ロック部材の滑動面がスライドアーム側のガイド面に沿って斜めに摺動しながら、保持部に向かって接近し、ロック部材と保持部がフランジ部を挟持する。
このとき、摩擦面がフランジ部の他側に当接することにより、ロック部材のフランジ部に対する摩擦力が大きくなり、フランジ部がより確実に挟持される。従って、ロック部材及び保持部による挟持によって、スライドアームがラックに対してより確実に固定保持されることになる。
また、摩擦面に対する滑動面の傾斜角度を小さくすることにより、摩擦面のフランジ部の他側に対する当接力が大きくなり、スライドアームのラックに対する固定保持が強くなり、スライドアームが支持する天板等の耐荷重重量が増大する。
【００２８】
ロック部材とガイド面との間に、摩擦軽減手段を備えている場合には、ロック部材の滑動面がガイド面に沿って摺動する際に、この滑動面とガイド面との間の摩擦が摩擦軽減手段によって軽減されるので、ロック部材の滑動面がガイド面に沿ってより円滑に摺動する。
【００２９】
ロック部材が、ガイド機構を介してスライドアームに接続されている場合には、スライドアームのラックに対する上下摺動に伴って、ロック部材がガイド機構を介してスライドアームに対して円滑に移動する。
【００３０】
ロック部材が、弾性部材により一方向に向かって付勢されている場合には、スライドアームのラックに対する一方向への摺動に伴って、弾性部材の付勢力によって、ロック部材が保持部から確実に離間する。
【００３１】
ロック部材を他方向に押動する解除手段を備えている場合には、スライドアームのラックに対する一方向への摺動の際に、解除手段を操作することによりロック部材が保持部から離間する。
【００３２】
解除手段が、ロック部材を他方向に押圧するようにスライドアームに揺動可能に取り付けられたリンクレバーである場合には、リンクレバーの揺動によって、ロック部材が保持部から確実に離間する。
【００３３】
ロック部材においてリンクレバーに当接する面が渦巻き曲線状の曲面形状を有する場合には、リンクレバーの揺動の際に、ロック部材への当接位置における傾斜角度が変化して、トルク及びストロークが変化する。
即ち、ロック部材を他方向に押圧するようなリンクレバーの揺動の際に、はじめはストロークが小さく且つトルクが大きく、最後はストロークが大きく且つトルクが小さくなる。これにより、ロック部材が確実に他方向に押圧される。
【００３４】
リンクレバーが、第二の弾性部材によって退避位置に向かって付勢されている場合には、第二の弾性部材の付勢力によって、リンクレバーが退避位置に導かれる。
【００３５】
解除手段が、ロック部材を他方向に押動するロッドである場合には、ロッドの押動によって、ロッドの一端がロック部材を押動することによって、ロック部材が保持部から確実に離間する。この場合、ロッドの他端を押すだけの簡単な操作により、例えば作業者が片手のみで操作を行なうことができる。
【００３６】
ロック部材が、摩擦面を有する摩擦部材と、滑動面を有する滑動部材とから構成され、摩擦部材と滑動部材とが互いに上下方向に摺動可能である場合には、スライドアームのラックに対する一方向への摺動の際に、まず滑動部材がスライドアームのガイド面に沿って移動し、摩擦部材から離間するので、摩擦部材の摩擦面のラックのフランジ部に対する当接力が低減し、フランジ部との間に作用する摩擦力が低減するので、摩擦部材が円滑にフランジ部から離間する。これにより、ロック部材の噛み込みがあったとしても、ロック部材と保持部によるラックのフランジ部の挟持が円滑に且つ確実に解除される。
【００３７】
摩擦部材と滑動部材とが、第三の弾性部材によって、互いに離反するように付勢されている場合には、スライドアームのラックに対する一方向への摺動の際に、第三の弾性部材の付勢力によって、滑動部材が摩擦部材から円滑に離間する。
【００３８】
摩擦部材と滑動部材とが、第二のガイド機構を介して接続されている場合には、スライドアームのラックに対する一方向への摺動の際に、第二のガイド機構により、滑動部材が円滑に摩擦部材から離間する。
【００３９】
摩擦部材と滑動部材との間に、摩擦軽減手段を備えている場合には、スライドアームのラックに対する一方向への摺動の際に、摩擦軽減手段によって滑動部材と摩擦部材との間の摩擦力が低減するので、滑動部材が円滑に摩擦部材から離間する。
【００４０】
スライドアームが、互いに上下反転して配置された二組のロック部材を有する場合には、スライドアームの上下両方向への移動を規制することができる。
【００４１】
また、第二の構成によれば、互いに左右対称に配置された二組のロック部材がフランジ部を挟持することによりスライドアームを簡単な操作によって、任意の高さ位置で固定保持し得る。
【００４２】
このようにして、本発明によれば、簡単な構成により、天板等を支持するスライドアームをラックに対して上下摺動可能に支持し且つ無段階で任意の高さ位置に固定保持することができる昇降装置を提供することができる。
【図面の簡単な説明】
【００４３】
【図１】本発明による昇降装置の第一の実施形態の構成を示す概略斜視図である。
【図２】図１の昇降装置の分解斜視図である。
【図３】図２の昇降装置のさらなる分解斜視図である。
【図４】図３の昇降装置における要部を裏側斜め下方から見た分解斜視図である。
【図５】図３の昇降装置における要部を表側斜め上方から見た分解斜視図である。
【図６】図３の昇降装置におけるロックプレートを示す拡大図であり、（Ａ）は正面図，（Ｂ）は背面図，（Ｃ）は表側の右斜め上方から見た斜視図，（Ｄ）裏側の右斜め上方から見た斜視図，（Ｅ）は表側の右斜め下方から見た斜視図，（Ｆ）は裏側の左斜め下方から見た斜視図である。
【図７】図１の昇降装置における要部を示す部分拡大断面図であり、（Ａ）はロック状態，（Ｂ）は逆動状態，（Ｃ）はリリース操作状態を示している。
【図８】本発明による昇降装置の第二の実施形態の構成を示す図３と同様の分解斜視図である。
【図９】図８の昇降装置における要部を裏側斜め下方から見た分解斜視図である。
【図１０】図８の昇降装置における要部を表側の異なる斜め上方から見た分解斜視図である。
【図１１】図８の昇降装置における２ピース型のロックプレートを示す拡大図であり、（Ａ）は正面図，（Ｂ）は背面図，（Ｃ）は表側の右斜め上方から見た斜視図，（Ｄ）裏側の右斜め上方から見た斜視図，（Ｅ）は表側の右斜め下方から見た斜視図，（Ｆ）は裏側の左斜め下方から見た斜視図である。
【図１２】図８の昇降装置における要部を示す部分拡大断面図であり、（Ａ）はロック状態，（Ｂ）は逆動状態，（Ｃ）はリリース操作初期，（Ｄ）はリリース操作中期の状態を示している。
【図１３】図８の昇降装置におけるロックプレートの変形例を示しており、（Ａ）はロックプレートの摩擦軽減用ピンを備えた滑動部材の拡大斜視図，（Ｂ）はロックプレートの摩擦軽減用ピンを備えた摩擦部材の拡大斜視図である。
【図１４】図１３のロックプレートを備えた昇降装置における要部を示すロック状態の部分拡大断面図である。
【図１５】図３の昇降装置における変形例を示すロック状態における部分拡大断面図である。
【図１６】図１５のロックプレートを上下反転して配置した変形例を示すロック状態における部分拡大断面図である。
【図１７】本発明による昇降装置の第三の実施形態の要部の構成を示す表側の左下方から見た部分分解斜視図である。
【図１８】本発明による昇降装置の第四の実施形態の要部の構成を示す部分拡大断面図である。
【図１９】本発明による昇降装置の第五の実施形態の要部の構成を示す部分拡大断面図である。
【図２０】本発明による昇降装置の第六の実施形態の要部の構成を示す部分拡大断面図である。
【図２１】本発明による昇降装置の第七の実施形態の構成を示す分解斜視図である。
【図２２】図２１の昇降装置における要部を表側左下方から見た部分拡大斜視図である。
【図２３】図２１の昇降装置における係止バネの構成を示す（Ａ）平面図，（Ｂ）背面図,（Ｃ）Ａ−Ａ線断面図，（Ｄ）斜視図である。
【図２４】図２１の昇降装置におけるリンクレバーの構成を示す（Ａ）正面図，（Ｂ）表側の左上から見た斜視図，（Ｃ）裏側の右上から見た斜視図である。
【図２５】図２１の昇降装置におけるラックの構成を示す（Ａ）裏側を示す斜視図，（Ｂ）裏側を反対側から示す斜視図，（Ｃ）矢印Ａ方向に見た断面図である。
【図２６】図２１の昇降装置における要部を示すリンクレバー非操作時の部分拡大斜視図である。
【図２７】図２６の昇降装置における要部を示す（Ａ）部分拡大断面図，（Ｂ）非係合状態のＡ部の断面図，（Ｃ）係合状態のＡ部の断面図である。
【図２８】図２１の昇降装置における要部を示すリンクレバー操作時の部分拡大斜視図である。
【図２９】図２８の昇降装置における要部を示す（Ａ）部分拡大断面図，（Ｂ）Ａ部の断面図である。
【発明を実施するための形態】
【００４４】
図１から図３は、本発明の昇降装置の第一の実施形態の構成を示している。
図１から図３に示すように、昇降装置１０は、固定配置されるラック１１と、ラックに対して上下摺動可能に支持されたスライドアーム１２と、から構成されている。
【００４５】
ラック１１は、例えば金属板から構成されており、ワゴン，デスク等を構成する筐体に取り付けられる。
ラック１１は、筐体の例えば両側の側板等における内側面の垂直部分（図示せず）に沿って取付ネジにより取り付けられる。
【００４６】
また、ラック１１は、垂直方向（Ｚ方向）に長く伸びるように細長く形成されており、中央付近に垂直方向に延びる溝部１１ｂと、溝部１１ｂの一側から裏側に向かって垂直に（Ｘ方向）突出するフランジ部１１ｃを有している。
ここで、溝部１１ｂ及びフランジ部１１ｃは、ラック１１を構成する金属板を打ち抜き加工及び折り曲げ加工することにより、ラック１１と一体に形成されている。
フランジ部１１ｃは、後述するロックプレート２３に対向する側面が摩擦係数を高めるために表面に凹凸加工が施されている。
【００４７】
さらに、ラック１１は、その上端が裏側に折り曲げられて成る第二のフランジ部１１ｄを備えており、この第二のフランジ部１１ｄには、横方向（Ｙ方向）に延びるガイドスロット１１ｅが形成されている。このガイドスロット１１ｅにスライドアーム１２が挿通される。第二のフランジ部１１ｄの上面には、ガイドカバー１１ｆが装着されている。
【００４８】
スライドアーム１２は、ラック１１と同様に例えば金属板から構成されており、垂直方向に細長く、ラック１１より狭い幅に、且つラック１１より長く形成されている。
ここで、スライドアーム１２は、ラック１１の上端に設けられたガイドスロット１１ｅに挿通されると共に、ラック１１の下端内側に取り付けられたホルダー１１ｇにより包囲されることにより、ラック１１に対して上下に摺動可能に且つラック１１から離反しないように、支持されている。
【００４９】
また、スライドアーム１２は、その上端に、ワゴン，デスク等の天板を支持する支持部材１２ａを備えている。この支持部材１２ａは、天板の側縁を支持するように、水平なＹ方向に延びている。
さらに、スライドアーム１２は、その下端の一側に、横方向に張り出したストッパ１２ｂを有している。これにより、スライドアーム１２がラック１１に対して上方に移動したとき、このストッパ１２ｂが前述したホルダー１１ｃの下端に当接するため、スライドアーム１２がラック１１から上方に外れることはない。
【００５０】
スライドアーム１２は、その高さ方向ほぼ中間の位置に折曲げ片部２０を備えている。折曲げ片部２０は、スライドアーム１２がラック１１に対して上下に摺動する際にラック１１に設けられたフランジ部１１ｃに対応する位置に配置されている。
【００５１】
この折曲げ片部２０は、図３に示すように、保持部としての保持板２１と、ガイド面としての滑動板２２とを有する。保持板２１及び滑動板２２は、それぞれスライドアーム１２を構成する金属板を打ち抜き加工、折り曲げ加工することにより、スライドアーム１２と一体に形成されている。
一方の保持板２１は、Ｚ方向に垂直に延びていると共に、スライドアーム１２がラック１１に装着されたとき、ラック１１のフランジ部１１ｃの一側に僅かな間隔を開けて位置する。
また、他方の滑動板２２は、一方の折曲げ片２１から下方に向かって徐々に離反するように、Ｚ方向に対して斜めに延びると共に、スライドアーム１２がラック１１に装着されたとき、ラック１１のフランジ部１１ｃの他側に配置される。
これにより、一対の折曲げ片２１，２２の間には、上方に向かって先細になった楔形状の空間が画成されることになる。
【００５２】
これら一対の折曲げ片である保持板２１及び滑動板２２の間の領域には、図２及び図３〜図５に示すように、ロック部材としてのロックプレート２３が配置されると共に、さらにロックプレート２３の上方には解除手段としてのリンクレバー２４が配置されている。
【００５３】
ロックプレート２３は、例えば樹脂素材から構成されており、図６に示すように、全体として上方が先細になった楔形状に形成されている。
より具体的には、ロックプレート２３は、その左側が垂直な摩擦面２３ａとして形成されていると共に、その右側が摩擦面２３ａに対して斜めに延びる滑動面２３ｂとして形成されている。
ロックプレート２３が前述した保持板２１及び滑動板２２の間に配置されたときには、摩擦面２３ａが一方の保持板２１の内側面に対向し、滑動面２３ｂが他方の滑動板２２の内側面に対向する。また、滑動面２３ｂの傾斜角度は、滑動板２２の傾斜角度に対応して選定されている。
【００５４】
摩擦面２３ａは、その表面の摩擦係数が大きくなるように構成されている。例えば図示の場合には、Ｘ方向に互いに平行に延びる細かい複数の畝状の凹凸形状を付して、保持板２１の内側面に対する接触面積が小さくなるように形成されている。なお、摩擦係数を大きくするための方法はこれに限らず、表面を研磨することにより摩擦係数を大きくするなど、周知の様々な方法により摩擦係数を大きくしてもよい。
一方、滑動面２３ｂは、その表面の摩擦係数が小さくなるように構成されている。
【００５５】
ロックプレート２３は、その下面に、図６（Ａ）及び図６（Ｅ）に詳細に示すように、圧縮ばね２５を受容するための係合穴２３ｃを備えており、係合穴２３ｃの内側最上部には、圧縮ばね２５の上端と係合する係合突起２３ｄを有している。
ここで、圧縮ばね２５は、図３に示すように、保持板２１及び滑動板２２の下側に形成された切り起こし片１２ｃとロックプレート２３の係合穴２３ｃの間に介装され、ロックプレート２３を上方に向かって付勢する。
【００５６】
ロックプレート２３は、その背面に、図６（Ｂ）及び図６（Ｄ）に詳細に示すように、Ｘ方向裏側に突出する二本のガイドピン２３ｅ，２３ｆを有している。
これらのガイドピン２３ｅ，２３ｆは、保持板２１及び滑動板２２の間の領域に設けられたガイド溝１２ｄ，１２ｅに係合する。
ここで、ガイド溝１２ｄ，１２ｅは、それぞれ滑動板２２と平行に延びる長穴として構成されている。
ガイドピン２３ｅ，２３ｆとガイド溝１２ｄ，１２ｅはガイド機構として機能し、ガイドピン２３ｅ，２３ｆがそれぞれ対応するガイド溝１２ｄ，１２ｅに係合した状態で、ロックプレート２３は、滑動板２２に沿って移動するように案内される。
【００５７】
ロックプレート２３は、その上面が、図６（Ａ）において、左側から右側に向かって曲率半径が徐々に小さくなるような渦巻き曲線状の凹状曲面２３ｇとして形成されている。
【００５８】
リンクレバー２４は、支点ピン２４ａによりスライドアーム１２に揺動可能に支持されていると共に、支点ピン２４ａの下側に突出した凸部２４ｂ及び側方に突出したアーム部２４ｃを有している。
凸部２４ｂは、リンクレバー２４が支点ピン２４ａの周りに揺動したとき、ロックプレート２３の凹状曲面２３ｇに沿って摺動する。ロックプレート２３は、圧縮ばね２５により上方に向かって付勢されているので、リンクレバー２４を操作した場合には、ロックプレート２３の凹状曲面２３ｇは、常にリンクレバー２４の凸部２４ｂに接触するように追従する。
アーム部２４ｃは、その先端に、ほぼ垂直に配置された引っ張りばね２６の上端が係止され、この引っ張りばね２６の下端がスライドアーム１２に設けられた係止部１２ｆに連結されることにより、常に下方に付勢される。そのため、リンクレバー２４は、図３において右旋性を付与されている。これにより、リンクレバー２４の凸部２４ｂは、通常状態において、ロックプレート２３の凹状曲面２３ｇから離間した位置に保持される。
【００５９】
さらに、リンクレバー２４のアーム部２４ｃの中間部分には、操作部材２７が連動軸２７ａを介して連結されている。
操作部材２７は、スライドアーム１２の上端に設けられた支持部材１２ａに隣接して露出するように、スライドアーム１２に対して上下動可能に配置されている。
操作部材２７が上方に向かって引っ張られたとき、操作部材２７の上方移動が連動軸２７ａを介してリンクレバー２４のアーム部２４ｃに伝達され、リンクレバー２４が図３にて左旋する。従って、リンクレバー２４の凸部２４ｂが、ロックプレート２３の凹状曲面２３ｇに沿って摺動しながら、圧縮ばね２５の張力に抗してロックプレート２３を下方に押動する。
【００６０】
昇降装置１０は、以上のように構成されており、以下のように動作する。
ロック状態において、ロックプレート２３は、圧縮ばね２５の付勢力により、相対的に保持板２１及び滑動板２２の間の楔形状の空間内に押し込まれるように作用し、フランジ部１１ｃ及び滑動板２２に密着する。
ここで、図７（Ａ）に示すように、スライドアーム１２がその自重及び支持すべき天板等の重量により、矢印Ａで示すように、下方に向かって移動しようとする。すなわち、フランジ部１１ｃが、スライドアーム１２に対して相対的に矢印Ｂで示す方向に加力される。ロックプレート２３は、摩擦面２３ａとフランジ部１１ｃとの摩擦によって、スライドアーム１２に対して相対的に上方へ加力される。
これにより、ロックプレート２３の楔形状に基づいて、即ちロックプレート２３の滑動面２３ｂが当接する滑動板２２の傾斜に従って、ロックプレート２３が保持板２１側に移動して、ロックプレート２３の摩擦面２３ａがラック１１のフランジ部１１ｃを保持板２１に押し付ける。
【００６１】
従って、ロックプレート２３の摩擦面２３ａと保持板２１との間にフランジ部１１ｃが挟持されるので、スライドアーム１２がラック１１に対して固定保持される。
さらに、天板上に物が置かれるなどして荷重がかかった場合には、滑動板２２の傾斜に基づいて、ロックプレート２３を保持板２１側に押し付けるような分力がさらに発生し、押圧力が高められるので、ロックプレート３１と保持板２１によるフランジ部１１ｃの挟持がより確実に行なわれ、スライドアーム１２がラック１１に対して下方に褶動してしまうことはない。
【００６２】
このようなロック状態から、作業者が天板等を持ち上げると、これに伴ってスライドアーム１２が上方に引き上げられ、図７（Ｂ）において矢印Ｃで示すように、ラック１１のフランジ部１１ｃがスライドアーム１２に対し相対的に下方に移動する。
すると、ロックプレート２３は摩擦面２３ａとフランジ部１１ｃとの摩擦によって、圧縮ばね２５の付勢力に抗して、スライドアーム１２に対し相対的に下方に向かって移動する。このとき、ロックプレート２３は、ガイドピン２３ｅ，２３ｆとガイド溝１２ｄ，１２ｅとによってガイドされるので、その滑動面２３ｂが滑動板２２に沿って円滑に移動して、フランジ部１１ｃから離れる方向に移動する。
ロックプレート２３が滑動板２２に沿って斜めに移動すると、ロックプレート２３の摩擦面２３ａは、保持板２１側から退避することになるので、ロックプレート２３の摩擦面２３ａと折曲げ片２１とによるフランジ部１１ｃの挟持が解除される。従って、スライドプレート１２のラック１１に対するロックが解除されて、スライドプレート１２は、上方向に移動可能となる。
【００６３】
ここで、作業者が天板等を所望の高さ位置に持ち来たした状態で、天板等を一旦停止させると、圧縮ばね２５の付勢力によって、ロックプレート２３が上方に向かって押圧され、滑動板２２の斜面に沿って上方に移動し、同時にその摩擦面２３ａが保持板２１側に移動する。
さらに、作業者が天板等から手を離すと、天板等そしてスライドアーム１２が自重により下方に移動しようとする。従って、前述したように、ロックプレート２３は、保持板２１及び滑動板２２の間に画成される楔形状の空間内に押し込まれて、ロックプレート２３と保持板２１との間にラック１１のフランジ部１１ｃが挟持されて、ロック状態となる。
【００６４】
続いて、天板を下方に移動させるには、作業者は操作部材２７を上方に持ち上げる。これにより、操作部材２７の上昇移動が連動軸２７ａを介してリンクレバー２４のアーム部２４ｃに伝達されるので、リンクレバー２４は、図７（Ｃ）に矢印Ｄで示すように、左旋する。
【００６５】
リンクレバー２４の左旋により、リンクレバー２４の凸部２４ｂは、ロックプレート２３の凹状曲面２３ｇに当接し、凹状曲面２３ｇに沿って右方に移動しつつ、ロックプレート２３を下方に押動する。このときロックプレート２３は、上記楔形状の空間内でガイドピン２３ｅ，２３ｆとガイド溝１２ｄ，１２ｅとによってガイドされるので、ロックプレート２３はガイド溝１２ｄ，１２ｅに沿って、すなわち滑動板２２に沿って斜め下方へ移動する。
【００６６】
このとき、凹状曲面２３ｇの渦巻き曲線状の形状に基づいて、ロックプレート２３は、曲率半径が小さくなるほど、リンクレバー２４の回転角度に対してより大きなストロークで下方に移動し、曲率半径が大きくなるほど、大きなトルクを生じる。
従って、リンクレバー２４の旋回初期では大きなトルクが生じて、リンクレバー２４の凸部２４ｂは、ロックプレート２３をゆっくりと大きな力で下方に押動する。また、リンクレバー２４の旋回角度が大きくなると共に、徐々にトルクが小さく且つストロークが大きくなるので、ロックプレート２３は、より迅速に下方に移動することになる。
これにより、ロックプレート２３は確実にロック解除され、ロック解除後は小さな操作で退避され得る。
【００６７】
このようなロック解除状態においてはフランジ部１１ｃがロックプレート２３と保持板２１との間に挟持されていないから、作業者はスライドアーム１２及び天板を自由に上下に褶動することができる。
【００６８】
作業者が操作部材２７から手を離すと、引っ張りばね２６の張力によりリンクレバー２４が右旋する。これにより、リンクレバー２４の凸部２４ｂが図７において左側に向かって移動する。すると、ロックプレート２３の凹状曲面２３ｇが凸部２４ｂに接触しながら追従するから、ロックプレート２３が上昇すると共に、連動軸２７ａを介して操作部材２７が下降する。このようにして、操作部材２７から手を離すだけで、リンクレバー２４，ロックプレート２３及び操作部材２７は、ロック状態に復帰する。
【００６９】
図８から図１０は、本発明の昇降装置の第二の実施形態の構成を示している。
図８から図１０において、昇降装置３０は、図１から図３に示した昇降装置１０とほぼ同様の構成であるから、同じ構成要素には同じ符号を付して、その説明を省略する。
昇降装置３０は、図１から図３に示した昇降装置１０とは、ロックプレート２３の代わりに、いわゆる２ピースタイプのロックプレート３１を備えている点でのみ異なる構成になっている。
【００７０】
即ち、ロックプレート３１は、全体としては、図６に示したロックプレート２３と同様の構成であり、図８において左側の垂直な摩擦面２３ａと、右側の斜めに延びる滑動面２３ｂと、下面の係合穴２３ｃ及び係合突起２３ｄと、背面の二本のガイドピン２３ｅ，２３ｆ、上方の凹状曲面２３ｇと、を備えている。
【００７１】
ここで、ロックプレート３１は、図１１に詳細に示すように、摩擦面２３ａ及び係合穴２３ｃ，係合突起２３ｄを含む摩擦部材３２と、滑動部材３３と、に二分割されている。
図示の場合、摩擦部材３２は、滑動部材３３に設けられた左側，正面側及び下側に開放した切欠き部３３ａ内に収容されており、その背面側に設けられた二つのガイドピン３２ａ，３２ｂが滑動部材３３の切欠き部３３ａの背面側の内壁に設けられたＺ方向に長いガイド溝３３ｂ，３３ｃに係合することにより、Ｚ方向に沿ってガイドされるようになっている。すなわち、ガイドピン３２ａ，３２ｂ及びガイド溝３３ｂ，３３ｃは、第二のガイド機構として機能する。
【００７２】
さらに、摩擦部材３２は、その上面に後述する圧縮ばね３４を受容するための係合穴３２ｅを備えており、係合穴３２ｅの内側最下部には、圧縮ばね３４の下端と係合する係合突起３２ｄを有している。
ここで、圧縮ばね３４は、図１１（Ｆ）に示すように、その上端が、滑動部材３３に設けられた切欠き部３３ａの内側上面に設けられた係合突起３３ｄと係合する。
【００７３】
また、摩擦部材３２は、その右側面が傾斜して形成されており、その傾斜角度は滑動部材３３に形成された切欠き部３３ａの右側の内面と同じ角度で、且つ滑動部材３３の滑動面２３ｂより垂直に対して小さな角度である。
切欠き部３３ａの右側の内面は、滑動面２３ｂと同様に摩擦係数を小さくした滑動面３３ｅとして形成されている。
【００７４】
以上のように、摩擦部材３２は、滑動部材３３の切欠き部３３ａ内に収容されると共に、滑動部材３３の切欠き部３３ａの右側の内面に沿って上下に移動し得る。また、圧縮ばね３４の張力は圧縮ばね２５の張力より大きい。そのため、通常状態において、摩擦部材３２は、ガイド溝３３ｂ，３３ｃの範囲内において滑動部材３３との間隙が最も大きい状態となる。すなわち、この状態において摩擦部材３２と滑動部材３３との間には傾斜面を介して密着しているが、水平面である摩擦部材３２の下面と滑動部材３３との間には間隙が存在する。
【００７５】
このような構成の昇降装置３０は、以下のように動作する。
即ち、ロック状態では、図１２（Ａ）に示すように、スライドアーム１２がその自重及び支持すべき天板等の重量により、矢印Ａで示すように、下方に向かって移動しようとするので、昇降装置１０と同様の作用により、ロックプレート３１の摩擦面２３ａと保持板２１との間にフランジ部１１ｃが挟持されるので、スライドアーム１２がラック１１に対して固定保持される。
【００７６】
従って、ロックプレート３１を構成する摩擦部材３２の摩擦面２３ａと保持板２１との間にフランジ部１１ｃが挟持されるので、スライドアーム１２がラック１１に対して固定保持される。
天板上に物が置かれるなどして荷重がかかった場合には、滑動板２２の傾斜に基づいて、ロックプレート３１を保持板２１側に押し付けるような分力がさらに発生し、押圧力が高められるので、ロックプレート３１と保持板２１によるフランジ部１１ｃの挟持がより確実に行なわれる。このとき、摩擦部材３２には滑動部材３３に対して相対的に上方向の力が加わり、摩擦部材３２の上面と滑動部材３３の下面との間隙は小さくなる。しかし、摩擦部材３２は上に行くにつれて幅の狭くなる楔形であり、すなわち摩擦部材３２と滑動部材３３との間は斜面であるから、この斜面により生まれる下方向への反力に打ち消され、摩擦部材３２の上面と滑動部材３３の下面とが密着することはない。
【００７７】
このようなロック状態から、作業者が天板等を持ち上げると、これに伴ってスライドアーム１２が上方に引き上げられ、図１２（Ｂ）において矢印Ｃで示すように、相対的にラック１１のフランジ部１１ｃが相対的に下方に移動する。
これにより、ロックプレート３１を構成する摩擦部材３２及び滑動部材３３は、一体となって滑動板２２に沿って斜めに移動する。すると、摩擦部材３２の摩擦面２３ａは、保持板２１側から退避することになるので、ロックプレート３１を構成する摩擦部材２３の摩擦面２３ａと折曲げ片２１とによるフランジ部１１ｃの挟持が解除される。 
【００７８】
ところで、天板の上に重量物が載置された場合などのように、スライドアーム１２に下向きの強い力が加わると、場合によっては、ロックプレート３１が保持板２１及び滑動板２２の間に画成される楔形状の空間に噛み込んでしまうことがある。
本実施形態の昇降装置３０によれば、このような場合でも、簡単にロックを解除することができる。
具体的には、まず図１２（Ｃ）に示すように、作業者は操作部材２７を上方に持ち上げる。これにより、操作部材２７の上昇移動が連動軸２７ａを介してリンクレバー２４のアーム部２４ｃに伝達されるので、リンクレバー２４は、図１２（Ｃ）に矢印Ｄで示すように、左旋する。
リンクレバー２４の左旋により、リンクレバー２４の凸部２４ｂは、ロックプレート３１の滑動部材３３の凹状曲面２３ｇに当接し、凹状曲面２３ｇに沿って右方に移動しつつ、滑動部材３３を下方に押動する。
【００７９】
これにより、滑動部材３３が圧縮ばね３４の付勢に抗って摩擦部材３２に対して下方に褶動する。すなわち、滑動部材３３のみが、矢印Ｅで示すように、摩擦部材３２と折曲げ片２２の間から下方に退避する。
滑動部材３３は上方が細い楔形であるから、滑動部材３３のみが下方に抜けると、摩擦部材３２をフランジ部１１ｃに対して押し付ける反力が解消される。そのため、噛み込みが解消して、図１２（Ｄ）に矢印Ｆで示すように、摩擦部材３２が圧縮ばね３４の張力により下方に押し出されると共に、ロックプレート３１全体が下方に移動して、ロックプレート３１の摩擦部材３２と保持板２１とによるフランジ部１１ｃの挟持が解放される。
従って、ロックプレート３１の噛み込みが発生したとしても、操作部材２７を操作することによって、ロックプレート３１の噛み込みが容易に解消して、スライドアーム１２のラック１１に対するロックが解除される。
【００８０】
図１３は、図８に示した昇降装置３０におけるロックプレート３１の変形例を示している。
この場合、図１３（Ａ）に示すように、ロックプレート３１の滑動部材３３は、その滑動面２３ｂ及び３３ｅにおける摩擦をより低減するために、それぞれ二つの摩擦低減用のピン３３ｆ，３３ｇを備えている。
これらのピン３３ｆ，３３ｇは、いずれも滑動部材３３の滑動面２３ｂ，３３ｅに形成されたＸ方向に延びる受容凹部内に収容され、受容凹部内において自由に軸回転可能である。
また、滑動部材３３の滑動面３３ｅに備えられるピン３３ｇは、図１３（Ｂ）に示すように、摩擦部材３２側にも設けられてもよい。この場合、ピン３３ｇは、滑動面３３ｅに対向する摩擦部材３２の側面に設けられたＸ方向に延びる受容凹部内に収容される。
【００８１】
このような構成によれば、滑動部材３３は、折曲げ片２２及び摩擦部材３２に接触する滑動面２３ｂ，３３ｅにおいて、ピン３３ｆ，３３ｇが軸回転することにより、摩擦抵抗が低減される。
【００８２】
図１５は、図１から図３に示した昇降装置１０の第二の変形例の要部を示している。
図１５において、昇降装置１０は、リンクレバー２４及び操作部材２７，引っ張りばね２６の代わりに、操作ロッド２８を備えている。
操作ロッド２８は、ロックプレート２３に対して直接に連結されており、図示しない下端を矢印Ｈで示すように下方に引っ張ることによって、ロックプレート２３を直接に下方に移動させて、折曲げ片２１，２２の間に画成される楔形状の空間から移動させることができる。
【００８３】
このような構成によれば、リンクレバー２４，連動軸２７ａを伴う操作部材２７そして引っ張りばね２６が不要であるので、部品点数が少なくて済み、部品コスト及び組立コストが低減され得る。また、ロック解除時の操作ロッドの動きは上方への動きではなく下方への動きとなるから、操作ロッドに連結される操作部材を天板の上側に設けて、操作部材と天板とを挟むように掴んで天板の昇降操作を行うことができる。この場合には、天板が下側に位置することから、手を離した際に操作部材が上方へ移動するため、天板を他方の手で抑えることなく、片手で操作を行うことができる。
【００８４】
図１６は、図１から図３に示した昇降装置１０の第三の変形例の要部を示している。
図１６において、昇降装置１０は、図１５に示した昇降装置に関して、保持板２１、滑動板２２及びロックプレート２３が上下反転して配置されていると共に、圧縮ばね２５が省略されている。
【００８５】
このような構成によれば、図１５に示した昇降装置１０と同様に作用すると共に、ロックプレート２３が自重によって保持板２１、滑動板２２の間に画成される楔形状の空間内に押し込まれるので、圧縮ばね２５が不要となり、より一層部品点数を削減することができる。この場合には、スライドアーム１２を何らかの手段により上方へ付勢する必要がある。
【００８６】
図１７は、本発明による昇降装置の第三の実施形態における要部の構成を示している。
図１７において、昇降装置４０は、図１から図３に示した昇降装置１０とほぼ同様の構成であるから、同じ構成要素には同じ符号を付して、その説明を省略する。
昇降装置４０は、図１から図３に示した昇降装置１０と比較して、ロックプレート２３の代わりに、一対のロックプレート４１，４２と、リリースプレート４３と、を備えている点で異なる構成になっている。
【００８７】
ロックプレート４１，４２は、それぞれロックプレート２３とほぼ同様の構成であり、ロックプレート４１はロックプレート２３と同じ向きに配置されると共に、ロックプレート４２はロックプレート４１に対して逆向きに配置されている。これにより、ロックプレート４１，４２は、ラック１１のフランジ部１１ｃを通るＺ−Ｘ平面に関して互いに対称に配置されている。
ロックプレート４１，４２は、ロックプレート２３と比較して、摩擦面２３ａ，滑動面２３ｂ，係合穴２３ｃ，係合突起２３ｄを備えているが、ガイドピン２３ｅ，２３ｆ及び凹状曲面２３ｇは省略されている。
さらに、ロックプレート４１，４２は、その中央付近に、Ｙ方向に延びる貫通穴４１ａ，４２ａを備えている。
【００８８】
また、スライドアーム１２は、垂直な保持板２１を有さず、滑動板２２と同様に傾斜した滑動板４４を有している。
滑動板４４は、滑動板２２と同様に形成されており、且つ前述したフランジ部１１ｃを通るＺ−Ｘ平面に関して滑動板２２と対称に配置されている。
【００８９】
ここで、ロックプレート４１は、ロックプレート２３と同様に圧縮ばね２５により上方に付勢されていると共に、滑動板４４に対向するロックプレート４２も、同様に圧縮ばね４５により上方に付勢されている。
圧縮ばね４５は、その下端が上記Ｚ−Ｘ平面に関して切り起こし片１２ｃと対称な位置に形成された切り起こし片１２ｇに接続されている。
【００９０】
リリースプレート４３は、Ｙ−Ｚ平面上に延びる平板状に形成されており、上端が、ロックプレート２３の上端と同様に形成された凹状曲面４３ａを有している。
これにより、リンクレバー２４が操作部材２７の操作時に左旋すると、リンクレバー２４の凸部２４ｂがリリースプレート４３の凹状曲面４３ａに沿って摺動すると共に、リリースプレート４３を下方に押動する。
【００９１】
リリースプレート４３は、その背面中央でＺ方向に延びるガイド溝４３ｂを備えており、このガイド溝４３ｂがスライドアーム１２の表面で且つ折曲げ片４４，２２の間に形成されたＺ方向に延びる突条部１２ｈに係合することにより、Ｚ方向にガイドされるようになっている。
また、リリースプレート４３は、その前面において、水平に並んだ二つのボス部４３ｃ，４３ｄを有している。これらのボス部４３ｃ，４３ｄは、それぞれロックプレート４１，４２の貫通穴４１ａ，４２ａに嵌合している。
これにより、リリースプレート４３がガイド溝４３ｂ及び突条部１２ｈによるガイドによって上下方向に移動すると、リリースプレート４３の移動に伴って、ロックプレート４１，４２も上下方向に移動する。
【００９２】
このような構成の昇降装置４０によれば、ロック状態では、ロックプレート４１，４２は、相対的に滑動板４４，２２の間の楔形状の空間内に押し込まれて、ロックプレート４１，４２が互いに接近する。これにより、ロックプレート４１，４２の摩擦面によりラック１１のフランジ部１１ｃが挟持されるので、スライドアーム１２がラック１１に対して固定保持されることになる。
【００９３】
このようなロック状態から、スライドアーム１２が上方に引き上げられると、相対的にラック１１のフランジ部１１ｃが下方に移動することにより、ロックプレート４１，４２は、リリースプレート４３と共に下方に移動する。これにより、ロックプレート４１，４２によるフランジ部１１ｃの挟持が解除されるので、スライドプレート１２のラック１１に対するロックが解除されて、スライドプレート１２は上方向に移動可能となる。
【００９４】
また、作業者が図示しない操作部材を操作して、リンクレバー２４を左旋させると、リンクレバー２４の凸部２４ｂがリリースプレート４３の凹状曲面４３ａに当接し、凹状曲面４３ａに沿って右方に移動しつつ、リリースプレート４３を下方に押動する。すると、ロックプレート４１，４２も下方に移動するので、ロックプレート２３は下方に退避して、フランジ部１１ｃの挟持を解除する。
【００９５】
この場合、双方のロックプレート４１，４２が共に傾斜した滑動板２２，４４により互いに接近し、かつ互いに退避するので、図１から図３に示した昇降装置１０の場合と比較して、ロック解除状態においてフランジ部１１ｃに対するクリアランスを大きく取ることができる。
【００９６】
図１８は、本発明による昇降装置の第四の実施形態の要部の構成を示している。
図１８において、昇降装置５０は、ラック１１のフランジ部１１ｃを挟んで回転対称の位置に、ロックプレート５１，５２を配置した構成になっている。
このようなロックプレート５１，５２の配置に対応して、スライドプレート１２上には、それぞれ滑動板５３，５４が備えられている。
【００９７】
ここで、ロックプレート５１は、図１５に示した昇降装置におけるロックプレート２３と同様の構成であり、またロックプレート５２は、図１６に示した昇降装置におけるロックプレート２３と同様の構成である。
また、滑動板５３は、図１５に示した昇降装置における滑動板２２と同様の構成であり、また滑動板５４は、図１６に示した昇降装置における滑動板２２と同様の構成である。
【００９８】
尚、ロックプレート５１に対する操作ロッド２８は、図式的に屈曲した状態で図示されているが、実際には適宜のリンク機構等を介して、スライドアーム１２の上部に導かれている。
【００９９】
このような構成の昇降装置５０によれば、図１５に示した昇降装置及び図１６に示した昇降装置と同様に作用すると共に、互いに上下反転した二つのロックプレート５１，５２により、上下両方に向かってロックプレート５１，５２がロック状態となる。従って、スライドアーム１２のラック１１に対する移動が上下双方に関して規制されることになる。
尚、この場合、ロック解除するために、スライドアーム１２を上下に移動させようとしても、何れかのロックプレート５１または５２が保持板２０内に押し込まれる方向に移動することになるので、ロック解除することができない。従って、ロック解除の場合には、双方の操作ロッド２８を操作することにより、ロックプレート５１を下方に、またロックプレート５２を上方に移動させて、ロック状態が解除される。
【０１００】
図１９は、本発明による昇降装置の第五の実施形態の要部の構成を示している。
図１９において、昇降装置６０は、ラック１１のフランジ部１１ｃの一側（図示の場合、右側）において、上下に並んだ二つの滑動板６１，６２及びロックプレート６３，６４を配置した構成になっている。
【０１０１】
ここで、下側の滑動板６１及びロックプレート６３は、図１５に示した滑動板２０及びロックプレート２３と同様の構成であり、上側の滑動板６２及びロックプレート６４は、図１６に示した滑動板２０及びロックプレート２３と同様の構成であって、上側の滑動板６１及びロックプレート６３に対して、上下反転した構成である。
【０１０２】
このような構成の昇降装置６０によれば、図１５に示した昇降装置及び図１６に示した昇降装置と同様に作用すると共に、互いに上下反転した二つのロックプレート６３，６４により、上下両方に向かってロックプレート６３，６４がロック状態となる。従って、スライドアーム１２のラック１１に対する移動が上下双方に関して規制されることになる。
この場合も、ロック解除の際には、双方の操作ロッド２８を操作して、ロックプレート６３を下方に移動させ、またはロックプレート６４を上方に移動させればよい。
また、この場合、二つのロックプレート６３，６４がフランジ部１１ｃの一側に配置されているので、水平方向に関する設置スペースが少なくて済む。
【０１０３】
図２０は、本発明による昇降装置の第六の実施形態の要部の構成を示している。
図２０において、昇降装置７０は、ラック１１のフランジ部１１ｃの両側において、異なる高さ位置に二つの滑動板７１，７２及びロックプレート７３，７４を配置した構成になっている。
【０１０４】
ここで、下側の滑動板７１及びロックプレート７３は、図１５に示した滑動板２０及びロックプレート２３と同様の構成であり、上側の滑動板７２及びロックプレート７４は、図１６に示した滑動板２０及びロックプレート２３と同様の構成であって、上側の滑動板７１及びロックプレート７３に対して、上下にオフセットした回転対称の構成である。
【０１０５】
このような構成の昇降装置７０によれば、図１５に示した昇降装置及び図１６に示した昇降装置と同様に作用すると共に、フランジ部１１ｃの両側で互いに上下にずれて配置された二つのロックプレート７３，７４により、上下両方に向かってロックプレート７３，７４がロック状態となる。従って、スライドアーム１２のラック１１に対する移動が上下双方に関して規制されることになる。
この場合も、ロック解除の際には、双方の操作ロッド２８を操作して、ロックプレート７３を下方に移動させ、またはロックプレート７４を上方に移動させればよい。
【０１０６】
図２１は、本発明による昇降装置の第七の実施形態の構成を示している。
図２１において、昇降装置８０は、図８に示した昇降装置３０とほぼ同様の構成であるから、同じ構成要素には同じ符号を付して、その説明を省略する。
昇降装置８０は、図８に示した昇降装置３０と比較して、補助ロック機構８１を備えている点でのみ異なる構成である。
【０１０７】
補助ロック機構８１は、図２１及び図２２に示すように、板ばね８２と、ストッパ８３と、フランジ部１１ｃに設けられた係止部８４（図２５参照）と、を含んでいる。
板ばね８２は、板金等の弾性材料から構成されており、ほぼ全体が平坦に形成されており、図２３に示すように、右端８２ａが前側に屈曲していると共に、右端８２ａの左側に隣接した平坦部分の下縁に斜め後方に延びる傾斜部８２ｂを有している。
板ばね８２は、スライドアーム１２の前面においてリンクレバー２４の上側に位置するように、左端８２ｃがネジ等によりスライドアーム１２に対して取り付けられている。
この実施形態において、スライドアーム１２は、板ばね８２の取付領域において、板ばね８２の後方への弾性変形を許すように切欠き部（または凹陥部）１２ｉを備えている。
【０１０８】
ここで、リンクレバー２４は、背面の支点ピン２４ａの上側領域が、板ばね８２の屈曲した右端８２ａに対向している。
そして、リンクレバー２４は、当該上側領域に背面側から反時計周りに徐々に深くなるカム面２４ｄを有している。
これにより、操作部材２７の非操作時には、カム面２４ｄは、板ばね８２の右端８２ａには接触しないが、操作部材２７の操作時に、リンクレバー２４が左旋すると、リンクレバー２４の左旋に伴って、カム面２４ｄが徐々に板ばね８２の右端８２ａを裏側に向かって押動するようになっている。
【０１０９】
ストッパ８３は、スライドアーム１２の前面において切欠き部１２ｉの下側に隣接して配置されており、その上縁が板ばね８２の下端に当接して、板ばね８２を下方から支持するようになっている。
尚、ストッパ８２は、図示の場合、スライドアーム１２を構成する金属板を一部打ち抜き加工することにより、スライドアーム１２と一体に形成されているが、他の方法でスライドアーム１２に一体に形成されていてもよく、また別体に形成されスライドアーム１２に固定されてもよい。
【０１１０】
係止部８４は、図２５に示すように、ラック１１のフランジ部１１ｃの先端に沿って設けられており、図２５（Ｃ）に詳細に示すように、鋸歯状に並んだ複数個のフック８４ａから形成されている。
各フック８４ａは、それぞれ下側８４ｂがＸ方向に沿って水平に形成されていると共に、上側８４ｃが傾斜して形成されている。
これにより、スライドアーム１２の上下方向の移動に際して、スライドアーム１２に取り付けられた板ばね８２の傾斜部８２ｂが、フランジ部１１ｃの係止部８４に対向している。
【０１１１】
このような構成の昇降装置８０によれば、図８に示した昇降装置３０と同様に作用すると共に、ロック状態では、図２２及び図２３（Ａ）に示すように、操作部材２７が操作されないので、リンクレバー２４のカム面２４ｄは板ばね８２の右端８２ａには接触しない。これにより、板ばね８２は、屈曲した右端８２ａを除く平坦部分が、スライドアーム１２の前面に沿って位置することになる。
従って、図２７（Ａ）に示すように、板ばね８２の平坦部分は、係合部８４即ちラック１１のフランジ部１１ｃの先端に形成されたフック部８４ａの間に進入するので、フック部８４ａの水平な下側８４ｂが板ばね８２の上端に係合する。これにより、スライドアーム１２がラック１１に対して上方に移動しないように、補助的にロックされる。
【０１１２】
このようなロック状態において、スライドアーム１２が下方に移動されると、フランジ部１１ｃ及び係合部８４が相対的に上方に移動することになる。このとき、図２７（Ｃ）に示すように、係合部８４の各フック部８４ａの上側８４ｃが傾斜していることから、板ばね８２の下端がフック部８４ａの傾斜した上側８４ｃにより後方に押動されて、係合部８４の通路から退避するので、ロックプレート３１の保持板２０内への進入が補助ロック部８１によって阻止されることはない。
【０１１３】
これに対して、操作部材２７が操作されて、リンクレバー２４が左旋すると、図２８及び図２９（Ａ）に示すように、ロックプレート３１が下方に移動されて、ロックプレート３１の摩擦面３１ａがフランジ部１１ｃから離間し、ロック解除されると共に、リンクレバー２４のカム面２４ｄが板ばね８２の右端８２ａを後方に向かって押動する。
これにより、図２９（Ｂ）に示すように、板ばね８２の傾斜面８２ｂの領域は、スライドアーム１２に設けられた切欠き部１２ｉ内に退避するので、板ばね８２は、ラック１１のフランジ部１１ｃの先端に形成された係止部８４の上下方向の移動を妨げない。
従って、スライドアーム１２はラック１１に対して自由に上下方向に移動可能となる。
【０１１４】
ところで、操作部材を操作しない状態においてスライドアーム１２がラック１１に対して上方に移動可能であることから、この状態で繰り返しスライドアーム１２が上方に移動されると、ロックプレート３１の摩擦面３１ａとフランジ部１１ｃの接触面に摩耗が生じて、挟持によるロックの強度が低下してしまう。このため、本実施形態による昇降装置８０では、ロック状態においてスライドアーム１２の上方への移動が補助ロック機構８１により阻止されるので、上述したロックプレート３１の摩擦面３１ａとフランジ部１１ｃの接触面の摩耗が防止される。
従って、昇降装置８０の耐久性が向上する。
【産業上の利用可能性】
【０１１５】
本発明はその趣旨を逸脱しない範囲において様々な形態で実施することができる。
例えば、上述した実施形態においては、折り曲げ片部２０は、スライドアーム１２と一体に形成されているが、これに限らず、スライドアーム１２と別体に構成され、スライドアーム１２に対して固定されていてもよい。
【０１１６】
また、上述した実施形態においては、ロックプレート２３と保持板２１との間に挟持されるフランジ部１１ｃは、ラック１１と一体に形成されているが、これに限らず、フランジ部１１ｃは、ラック１１と別体に構成され、ラック１１に対して固定されていてもよい。
【０１１７】
以上述べたように、本発明によれば、簡単な構成により、天板等を支持するスライドアームをラックに対して上下摺動可能に支持し且つ無段階で任意の高さ位置に固定保持することができる、極めて優れた昇降装置が提供される。
【符号の説明】
【０１１８】
１０，３０，４０，５０，６０，７０，８０    昇降装置
１１    ラック
１１ｃ  フランジ部
１２    スライドアーム
１２ｄ，１２ｅ  ガイド溝
２０，６１，６２，７１，７２    折曲げ片部
２１    保持板
２２，４４，５３，５４    滑動板
２３，３１，４１，４２，５１，５２，６３，６４，７３，７４    ロックプレート
２３ａ  摩擦面
２３ｂ  滑動面
２３ｅ，２３ｆ  ガイドピン
２３ｇ  凹状曲面
２４    リンクレバー
２４ｂ  凸部
２４ｃ  アーム部
２５，４５    圧縮ばね
２６    引っ張りばね
２７    操作部材
２８    操作ロッド
３２    摩擦部材
３３    滑動部材
３４    圧縮ばね
４３    リリースプレート
４３ａ  凹状曲面
８１    補助ロック機構
８２    板ばね
８３    ストッパ
８４    係合部
８４ａ  係合フック
８４ｂ  水平な下側
８４ｃ  傾斜した上側
【図１】
2012161386.tif 000003
【図２】
2012161386.tif 000004
【図３】
2012161386.tif 000005
【図４】
2012161386.tif 000006
【図５】
2012161386.tif 000007
【図６】
2012161386.tif 000008
【図７】
2012161386.tif 000009
【図８】
2012161386.tif 000010
【図９】
2012161386.tif 000011
【図１０】
2012161386.tif 000012
【図１１】
2012161386.tif 000013
【図１２】
2012161386.tif 000014
【図１３】
2012161386.tif 000015
【図１４】
2012161386.tif 000016
【図１５】
2012161386.tif 000017
【図１６】
2012161386.tif 000018
【図１７】
2012161386.tif 000019
【図１８】
2012161386.tif 000020
【図１９】
2012161386.tif 000021
【図２０】
2012161386.tif 000022
【図２１】
2012161386.tif 000023
【図２２】
2012161386.tif 000024
【図２３】
2012161386.tif 000025
【図２４】
2012161386.tif 000026
【図２５】
2012161386.tif 000027
【図２６】
2012161386.tif 000028
【図２７】
2012161386.tif 000029
【図２８】
2012161386.tif 000030
【図２９】
2012161386.tif 000031